【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
列方向を長手方向として電気的に共通に接続された複数の検出用列配線を一組とした複数の列方向束配線と、
行方向を長手方向として電気的に共通に接続された複数の検出用行配線を一組とした複数の行方向束配線と、
平面視において前記検出用列配線と前記検出用行配線との間に設けられ、前記検出用列配線および前記検出用行配線と電気的に切断されたフローティング配線と
を備えたタッチスクリーンであって、
前記検出用列配線は、前記列方向に対して所定の傾斜角度θ（０＜θ＜９０°）で斜めに傾斜した第１傾斜部分と、前記第１傾斜部分に繋がった前記列方向に対して傾斜角度−θで斜めに傾斜した第２傾斜部分とが前記列方向に沿って繰り返し配設されて構成されるジグザグパターンであり、
前記検出用行配線は、前記行方向に対して所定の傾斜角度９０°−θで斜めに傾斜した第３傾斜部分と、前記第３傾斜部分に繋がった前記行方向に対して傾斜角度−（９０°―θ）で斜めに傾斜した第４傾斜部分とが前記行方向に沿って繰り返し配設されて構成されるジグザグパターンであり、
平面視において、
前記第１の傾斜部分と第２の傾斜部分との接続点の周りに前記検出用列配線のフローティング電極が配置された第１のブロック領域と、
前記第３の傾斜部分と第４の傾斜部分との接続点の周りに前記検出用行配線のフローティング電極が配置された第２のブロック領域と
が列方向および行方向において交互に配置された
ことを特徴とするタッチスクリーン。
【請求項２】
斜めに隣接する第１のブロック領域間の検出用列配線が互いに連結されており、
斜めに隣接する第２のブロック領域間の検出用行配線が互いに連結されている
ことを特徴とする請求項１記載のタッチスクリーン。
【請求項３】
第1のブロック領域及び第２のブロック領域はそれぞれ矩形上の複数の単位配線パターン領域からなり、
前記複数の単位配線パターン領域は、
少なくとも対角方向に伸在する配線を含む検出用列配線のみを備えた第１の単位配線パターンと、
少なくとも対角方向に伸在する配線を含む検出用行配線のみを備えた第２の単位配線パターンを含み、
前記第１のブロック領域には、その対角方向に複数の前記第１の単位配線パターンが配置され、それぞれの前記第１の単位配線パターンの含む前記検出用列配線は斜め方向に隣り合う前記第１の単位配線パターンの頂点付近で、該第１の単位配線パターンの含む前記検出用列配線と電気的に接続しており、
前記第２のブロック領域には、その対角方向に複数の前記第２の単位配線パターンが配置され、それぞれの前記第２の単位配線パターンの含む前記検出用行配線は斜め方向に隣り合う前記第２の単位配線パターンの頂点付近で、該第２の単位配線パターンの含む前記検出用行配線と電気的に接続していることを特徴とする請求項１または２に記載のタッチスクリーン。
【請求項４】
複数の単位配線パターン領域は、
検出用列配線と同じ配線層に形成され、少なくとも対角方向に伸在する配線を含むフローティング配線のみを含む第３の単位配線パターンと、
検出用行配線と同じ配線層に形成され、少なくとも対角方向に伸在する配線を含むフローティング配線のみを含む第４の単位配線パターンをさらに含み、
第1ブロック領域は前記第1、第３及び第４の単位配線パターンを含み、
第２のブロック領域は前記第２、第３及び第４の単位配線パターンを含むことを特徴とする請求項３に記載のタッチスクリーン。
【請求項５】
第１のブロック領域の第１及び第３の単位配線パターンと第４の単位配線パターンとは、相補的に斜め方向に隣り合う単位配線パターンの含む配線が同じ配線層の配線として形成されたものとなるように、列方向及び行方向においてそれぞれ交互に配置され、
第２のブロック領域の第２及び第４の単位配線パターンと第３の単位配線パターンとは、相補的に斜め方向に隣り合う単位配線パターンの含む配線が同じ配線層の配線として形成されたものとなるように、前記列方向及び前記行方向において交互に配置されることを特徴とする請求項４に記載のタッチスクリーン。
【請求項６】
第１〜第４の単位配線パターンは、
前記単位配線パターン領域の対角関係にある２組の頂点のうち、一方の組の頂点付近が始点及び終点となる第１の配線と、
他方の組の頂点付近が始点及び終点となる第２の配線と
を備えたことを特徴とする請求項４または５に記載のタッチスクリーン。
【請求項７】
第１〜第４の単位配線パターンは、
第１の配線及び第２の配線を接続する分岐配線を備えたことを特徴とする請求項６に記載のタッチスクリーン。
【請求項８】
第１の配線及び第２の配線が直線状であることを特徴とする請求項６または７に記載のタッチスクリーン。
【請求項９】
第１の配線及び第２の配線が円弧状であることを特徴とする請求項６または７に記載のタッチスクリーン。
【請求項１０】
請求項１乃至請求項９のいずれかに記載のタッチスクリーンと、
複数の列方向束配線の各々、及び、複数の行方向束配線の各々を順次に選択するスイッチ回路と、
前記スイッチ回路により選択された前記列方向束配線と前記タッチスクリーンをタッチした指示体との間に形成される静電容量、及び、前記スイッチ回路により選択された前記行方向束配線と前記指示体との間に形成される静電容量の検出結果に基づいて、前記指示体のタッチ位置を示す前記タッチスクリーンにおけるタッチ座標の算出処理を行う検出処理回路と
を備えたことを特徴とするタッチパネル。
【請求項１１】
請求項１乃至請求項９のいずれかに記載のタッチスクリーンと、
複数の列方向束配線の各々、及び、複数の行方向束配線の各々を順次に選択するスイッチ回路と、
前記タッチスクリーンへの指示体のタッチに応じた、前記スイッチ回路により選択された前記列方向束配線と前記行方向束配線との間の相互容量の変化の検出結果に基づいて、前記指示体のタッチ位置を示す前記タッチスクリーンにおけるタッチ座標の算出処理を行う検出処理回路と
を備えたことを特徴とするタッチパネル。
【手続補正２】
【補正対象書類名】明細書
【補正対象項目名】００１５
【補正方法】変更
【補正の内容】
【００１５】
この発明に係るタッチスクリーンは、列方向を長手方向として電気的に共通に接続された複数の検出用列配線を一組とした複数の列方向束配線と、行方向を長手方向として電気的に共通に接続された複数の検出用行配線を一組とした複数の行方向束配線と、平面視において検出用列配線と検出用行配線との間に設けられ、検出用列配線および検出用行配線と電気的に切断されたフローティング配線とを備えたタッチスクリーンであって、検出用列配線は、列方向に対して所定の傾斜角度θ（０＜θ＜９０°）で斜めに傾斜した第１傾斜部分と、第１傾斜部分に繋がった列方向に対して傾斜角度−θで斜めに傾斜した第２傾斜部分とが列方向に沿って繰り返し配設されて構成されるジグザグパターンであり、検出用行配線は、行方向に対して所定の傾斜角度９０°−θで斜めに傾斜した第３傾斜部分と、第３傾斜部分に繋がった行方向に対して傾斜角度−（９０°―θ）で斜めに傾斜した第４傾斜部分とが行方向に沿って繰り返し配設されて構成されるジグザグパターンであり、平面視において、第１の傾斜部分と第２の傾斜部分との接続点の周りに検出用列配線のフローティング電極が配置された第１のブロック領域と、第３の傾斜部分と第４の傾斜部分との接続点の周りに検出用行配線のフローティング電極が配置された第２のブロック領域とが列方向および行方向において交互に配置されたものである。